(57)【要約】【課題】作業スペースが狭く、壁面に凹凸がある場合でも、短工期で容易に施工できるアスベスト囲い込み工法を提供する。【解決手段】アスベストＡで被覆されている躯体Ｃに、先端が尖った複数のインサートボルト１…をねじ込み、インサートボルト１…上に鋼製下地材３，４を配設した後、鋼製下地材４の上に非アスベスト材からなる隠蔽シート６を張設する。鋼製下地材３は、断面Ｃ形の薄板軽量鋼製材の対向するフランジに、それぞれ所定の間隔で複数の切欠部３ａ…を設けたものであり、軽量溝形鋼からなる鋼製下地材４の折返し部４ａを鋼製下地材３の切欠部３ａに挿嵌して、鋼製下地材４を鋼製下地材３上に固定する。鋼製下地材４の上に張設される隠蔽シート６は、鋼製の帯板７で上から押さえ付け、ステープル１３で鋼製下地材４に固定する。また、躯体Ｃにインサートボルト１をねじ込む際は、粉塵が飛散しないように飛散防止パッド２を使用する。【選択図】図３
2008050817.tif 000002
【特許請求の範囲】
【請求項１】
既存構造物の躯体を被覆しているアスベストを非アスベスト材で隠蔽する工法であって、
アスベストで被覆されている躯体に複数のインサートボルトを挿入し、前記インサートボルト上に鋼製下地材を配設した後、前記鋼製下地材の上に非アスベスト材からなる隠蔽シートを張設することを特徴とするアスベスト囲い込み工法。
【請求項２】
既存構造物の躯体を被覆しているアスベストを非アスベスト材で隠蔽する工法であって、
アスベストで被覆されている躯体に複数のインサートボルトを挿入し、前記インサートボルト間に鋼線を張架した後、前記鋼線間に非アスベスト材からなる隠蔽シートを張設することを特徴とするアスベスト囲い込み工法。
【請求項３】
前記隠蔽シートは、金網の両面に、不燃シートもしくは準不燃シートをそれぞれ貼着したものであることを特徴とする請求項１または２に記載のアスベスト囲い込み工法。
【請求項４】
有底筒状とされ、開口部の周囲にフランジ部を有する内筒と、当該内筒の外周部に巻装される弾性材からなる外筒とから構成される飛散防止パッドの底部を、アスベスト面に当接し、当該飛散防止パッドの開口部から、先端が尖ったインサートボルトを挿入して底部を貫通させ、アスベストで被覆されている躯体にインサートボルトをねじ込むことを特徴とする請求項１乃至３のいずれかに記載のアスベスト囲い込み工法。
【請求項５】
アスベストで被覆されている躯体にインサートボルトをねじ込む際に粉塵が飛散しないように、インサートボルトを遮蔽する飛散防止パッドであって、
有底筒状とされ、開口部の周囲にフランジ部を有する内筒と、当該内筒の外周部に巻装される弾性材からなる外筒とから構成されることを特徴とする飛散防止パッド。
【発明の詳細な説明】
【技術分野】
【０００１】
本発明は、既存構造物の壁面や天井などに吹き付けられているアスベストの飛散を防止する工法に関する。
【背景技術】
【０００２】
アスベスト（石綿）は天然の繊維状けい酸鉱物であり、断熱性や耐火性に優れているため、長年、数多くの建物の内装材として使用されてきた。しかし、アスベスト繊維は極めて細く、飛散したアスベストが肺に蓄積されると、肺がんが誘発されることが明らかになり、現在では、アスベストの使用が禁止されている。一方、既にアスベストを使用している建物については、早急にアスベスト飛散防止策を講じる必要がある。
【０００３】
既存の建物の壁面などに吹き付けられているアスベストを除去する場合、除去作業に先立ち、作業場所全体をプラスチックシートで覆って外部と隔離しなければならない。また、アスベストを除去する前に飛散防止剤をアスベストに塗布することが義務付けられている。このように、従来のアスベスト除去作業は、作業工数が多く、工期が長くなることから高コストとならざるをえなかった。
【０００４】
そこで、例えば特許文献１では、移動台車に設置された昇降装置に、アスベストを除去する除去手段を備えた除去ヘッドが設けられるとともに、除去ヘッドによって除去されたアスベストを回収する回収部が移動台車に備えられたアスベスト除去装置が提案されている。このアスベスト除去装置によれば、移動台車に設置された昇降装置に除去ヘッドが設けられているので、所望の壁面に除去ヘッドを押付けてアスベストを除去することができるだけでなく、アスベストを回収する回収部を移動台車に備えているので、除去作業中のアスベストの飛散を抑制して作業者に対する影響を抑制することができる。
【特許文献１】特開平１１−１９３６４２号公報
【発明の開示】
【発明が解決しようとする課題】
【０００５】
図１４に示すような既存の機械式駐車場では、内壁面や天井にアスベストが吹き付けられており、アスベスト飛散防止対策が急務となっている。しかし、作業スペースが狭く、壁面に凹凸があるため、特許文献１に記載されているようなアスベスト除去装置を使用することができない。
また、従来から行われているアスベスト除去作業や封じ込め作業を実施しようとした場合、作業場所全体をプラスチックシートで覆って外部と隔離しなければならず、長期間、機械式駐車場の稼働を停止しなければならないという問題がある。
アスベストが吹き付けられている天井や壁面を非アスベスト材で覆う囲い込みという方法もあるが、機械式駐車場の場合、２０〜３０ｍｍ程度のクリアランスしかない箇所もあり、下地材を含めて１００ｍｍ程度の厚みを必要とする従来の囲い込み工法を機械式駐車場に適用することは難しい。
【０００６】
本発明は、上述する問題点に鑑みてなされたもので、作業スペースが狭く、壁面に凹凸がある場合でも、短工期で容易に施工できるアスベスト囲い込み工法を提供することを目的とする。
【課題を解決するための手段】
【０００７】
上記目的を達成するため、本発明は、既存構造物の躯体を被覆しているアスベストを非アスベスト材で隠蔽する工法であって、アスベストで被覆されている躯体に複数のインサートボルトを挿入し、前記インサートボルト上に鋼製下地材を配設した後、前記鋼製下地材の上に非アスベスト材からなる隠蔽シートを張設することを特徴としている。
【０００８】
ここで、「躯体」は、構造物を構成する壁，柱，天井，梁などの総称である。
本発明では、隠蔽材として非アスベスト材からなる隠蔽シートを用いるので、作業スペースが狭く、壁面に凹凸がある場合でも、短工期で容易に施工することができる。また、隠蔽材をシートとしているので、軽量で既存構造物への負荷が小さく、囲い込み工事に伴う補強工事が不要となる。
【０００９】
また、本発明は、既存構造物の躯体を被覆しているアスベストを非アスベスト材で隠蔽する工法であって、アスベストで被覆されている躯体に複数のインサートボルトを挿入し、前記インサートボルト間に鋼線を張架した後、前記鋼線間に非アスベスト材からなる隠蔽シートを張設することを特徴としている。
【００１０】
既存構造物の躯体を被覆しているアスベストを非アスベスト材で隠蔽する場合、インサートボルト間に、ワイヤーやピアノ線などの鋼線を架け渡し、鋼線間に非アスベスト材からなる隠蔽シートを張設してもよい。これにより、施工がより容易となり、工期および工費の縮減を図ることができる。
【００１１】
また、本発明に係るアスベスト囲い込み工法では、前記隠蔽シートは、金網の両面に、不燃シートもしくは準不燃シートをそれぞれ貼着したものであることが好ましい。
【００１２】
本発明では、隠蔽シートとして、金網の両面に、不燃シートもしくは準不燃シートをそれぞれ貼着したものを用いることにより、破断しにくく、形状を維持することができ、取扱いが容易な隠蔽シートを実現することができる。
【００１３】
また、本発明に係るアスベスト囲い込み工法では、有底筒状とされ、開口部の周囲にフランジ部を有する内筒と、当該内筒の外周部に巻装される弾性材からなる外筒とから構成される飛散防止パッドの底部を、アスベスト面に当接し、当該飛散防止パッドの開口部から、先端が尖ったインサートボルトを挿入して底部を貫通させ、アスベストで被覆されている躯体にインサートボルトをねじ込むことが望ましい。
【００１４】
また、本発明に係る飛散防止パッドは、アスベストで被覆されている躯体にインサートボルトをねじ込む際に粉塵が飛散しないように、インサートボルトを遮蔽するパッドであって、有底筒状とされ、開口部の周囲にフランジ部を有する内筒と、当該内筒の外周部に巻装される弾性材からなる外筒とから構成されることを特徴としている。
【００１５】
本発明は、飛散防止パッドの底部（内筒の底部およびその周囲の外筒端面）をアスベスト面に当接し、当該飛散防止パッドの開口部から、先端が尖ったインサートボルトを挿入して底部を貫通させ、アスベストで被覆されている躯体にインサートボルトをねじ込むものであり、インサートボルトをアスベストにねじ込む際に発生する粉塵は飛散防止パッドの底部に押さえ込まれることになる。そのため、粉塵が飛散せず、作業者が粉塵に暴露するおそれがない。
【発明の効果】
【００１６】
本発明に係るアスベスト囲い込み工法では、隠蔽材として非アスベスト材からなる隠蔽シートを用いるので、作業スペースが狭く、壁面に凹凸がある場合でも、短工期で容易に施工することができる。また、隠蔽材をシートとしているので、軽量で既存構造物への負荷が小さく、囲い込み工事に伴う補強工事が不要となる。
さらに、アスベストで被覆されている躯体にインサートボルトをねじ込む際に飛散防止パッドを使用することで、粉塵が飛散せず、作業者が粉塵に暴露するおそれがない。
【発明を実施するための最良の形態】
【００１７】
以下、本発明の実施形態について図面に基づいて説明する。
図１および図２は、本発明に係るアスベスト囲い込み工法を機械式駐車場の内壁面に適用した例を示したものであり、図１は隠蔽シート張設前の状態、図２は隠蔽シート張設後の状態を表している。また、図３に本工法の分解斜視図を示す。なお、以下の説明では、便宜上、インサートボルトの先端から頭部に向かう方向を「上」と呼ぶことにする。
【００１８】
本実施形態では、アスベストＡで被覆されている鋼材からなる躯体Ｃに、先端が尖った複数のインサートボルト１…をねじ込み、インサートボルト１…上に鋼製下地材３，４，５を配設した後、鋼製下地材４，５の上に非アスベスト材からなる隠蔽シート６を張設する。
インサートボルト１の外周面には雄ねじ部が形成されており、インサートボルト１の頭部に高ナット８を螺合する。そして、高ナット８を介して全ねじボルト９を接合し、全ねじボルト９の端部に鋼製下地材３をナット１２で固定する。
【００１９】
鋼製下地材３は、断面Ｃ形の薄板軽量鋼製材の対向するフランジに、それぞれ所定の間隔で複数の切欠部３ａ…を設けたものであり、軽量溝形鋼からなる鋼製下地材４の折返し部４ａを鋼製下地材３の切欠部３ａに挿嵌して、鋼製下地材４を鋼製下地材３上に固定する。この方式によれば、鋼製下地材４を鋼製下地材３にビス等で固定する必要がないので、施工が容易で工期も短縮することができる。
【００２０】
鋼製下地材４の上に張設される隠蔽シート６は、鋼製の帯板７で上から押さえ付け、ステープル１３で鋼製下地材４に固定する。また、構造物のコーナー部については、火打ち梁Ｂ１が設置されているので、平板からなる鋼製下地材５を鋼製下地材４，４間に架設し、鋼製下地材５上に隠蔽シート６を張設する。
なお、後述するように、隠蔽シート６の内部には金網が埋め込まれているので、帯板７を使用せず、隠蔽シート６の上から直接、ステープル１３を打ち込み、鋼製下地材４，５に固定してもよい。
【００２１】
また、本発明では、アスベストＡで被覆されている躯体Ｃにインサートボルト１をねじ込む際に粉塵が飛散しないように、飛散防止パッド２を使用する。飛散防止パッド２は、図４に示すように、有底筒状とされ、底部２１ａの周縁部が外方に突出する樹脂製の内筒２１と、内筒２１の開口部の周囲に装着される鋼製リング状のフランジ部２２と、内筒２１の外周部に巻装される弾性材からなる外筒２３とから構成されている。弾性材は、例えばスポンジなどのように吸水性を備えていることが望ましく、外筒２３に予め水を含ませておくことで、アスベストＡの飛散防止効果を、より高めることができる。
なお、内筒２１とフランジ部２２は、樹脂で一体に形成してもよい。
【００２２】
アスベストＡで被覆されている躯体Ｃにインサートボルト１をねじ込む場合は、図５に示すように、先端が尖ったインサートボルト１の頭部に高ナット８を取り付け、先端面に六角孔が形成されたアタッチメントを装着したドリルＤを使用する。そのため、内筒２１の内径は、アタッチメントの外径より大きくしておく必要がある、なお、高ナット８の中間部には、雌ねじ部が形成されていないので、ドリルＤ使用時に高ナット８が空回りすることはない。
先ず、飛散防止パッド２の底部２１ａの周縁に形成された突起２１ｂをアスベストＡ面に当て（図６参照）、アスベストＡ内に突起２１ｂを挿入して、飛散防止パッド２の底部２１ａをアスベストＡに当接する（図７参照）。
そして、飛散防止パッド２の開口部から、先端が尖ったインサートボルト１を挿入して底部２１ａを貫通させ、アスベストＡで被覆されている躯体Ｃにインサートボルト１をねじ込むのであるが、アスベストＡの種類によって最終状態が若干異なる。図８は、乾式アスベストに対するインサートボルト１のねじ込み状態を示したものであり、図９は、湿式アスベストに対する状態を示したものである。乾式アスベストは柔らかいので、インサートボルト１をねじ込んでいくと、内筒２１が躯体Ｃに当接するが、湿式アスベストは硬いため、高ナット８のみ躯体Ｃに当接する。
インサートボルト１の挿入が完了すると、高ナット８に全ねじボルト９を螺合し、座金１０とナット１１で全ねじボルト９を飛散防止パッド２に固定する。
【００２３】
アスベストＡにインサートボルト１をねじ込む際に発生する粉塵は、飛散防止パッド２の底部２１ａおよび周縁部に形成された突起２１ｂさらには底部２１ａの周囲の外筒２３端面によって押さえ込まれるため飛散せず、作業者が粉塵に暴露する危険性はない。
なお、飛散防止パッド２の突起２１ｂで囲まれた凹部（底部２１ａの外側部分）に、シリコン系やブチルゴム系のシーリング材を充填してもよい。こうすることにより、さらに粉塵を押さえ込む効果が期待できる。
【００２４】
隠蔽シート６は、図１０に示すように、金網６１の両面に、寒冷紗６２（不燃シート）を貼着し、さらに寒冷紗６２の上にアルミもしくはステンレスの金属箔６３を貼り付けたものである。このような構成とすることで、破断しにくく、形状を維持することができ、取扱いが容易な隠蔽シート６を実現することができる。
また、図示していないが、金網６１の両面に金属箔６３を貼着した上に寒冷紗６２を貼り付け、寒冷紗６２に塗装を施してもよい。このようにすることで、金属箔６３による光の反射を防止することができる。
【００２５】
次に、他の実施形態について説明する。
図１１は、本発明に係るアスベスト囲い込み工法の第二の実施形態を示し、折板屋根Ｒの内側に吹き付けられているアスベストＡを隠蔽シート６で隠蔽するものである。
本実施形態では、ルーフボルトと呼ばれるインサートボルト１４を使用し、インサートボルト１４に鋼製下地材３，４を配設した後、鋼製下地材４の上に非アスベスト材からなる隠蔽シート６を張設する。また、梁Ｂ２の部分は、鋼製下地材３，４で囲い込み、その上から隠蔽シート６を張設する。
【００２６】
インサートボルト１４は、折板屋根Ｒの上側のシール用パッキン付座金１４ａ上のナットを、専用工具を用いて固定しながらボルトを回転させることにより、折板屋根Ｒの下側の拡開スリーブ１４ｂが拡開し、拡開した拡開スリーブ１４ｂとシール用パッキン付座金１４ａで折板屋根Ｒを挟持する構造となっている。
【００２７】
なお、梁Ｂ２の部分については、隠蔽シート６の内部に金網が埋め込まれているので、鋼製下地材３，４を組まず、隠蔽シート６を直接巻き付けてもよい。
また、スプリンクラー等の設備機器が設置されている箇所については、その箇所だけ隠蔽シート６をカットしてスリットを設け、設備機器を露出させた後、カットした部分を粘着テープ等で補修すればよい。
【００２８】
図１２は、本発明に係るアスベスト囲い込み工法の第三の実施形態を示したものである。本実施形態では、インサートボルト１４にアイボルト１５を接合し、アイボルト１５，１５間に架け渡したワイヤーやピアノ線などの鋼線１６，１６間に、非アスベスト材からなる隠蔽シート６を張設する。
【００２９】
図１３（ａ）は、隠蔽シート６と鋼線１６の接合方法を示したものである。隣接する隠蔽シート６，６の端部６ａ，６ａをそれぞれ直角に折り曲げて、端部６ａ，６ａ同士を重ね合わせ、端部６ａ，６ａに沿って延在する鋼線１６の上からステープル１３を打設し、隠蔽シート６を鋼線１６に固定する。そして、図１３（ｂ）に示すように、隠蔽シート６の端部６ａ，６ａを隠蔽シート６と平行になるように倒して接合部とする。
【００３０】
本実施形態によるアスベスト囲い込み工法では、隠蔽材として非アスベスト材からなる隠蔽シート６を用いるので、作業スペースが狭く、壁面に凹凸がある場合でも、短工期で容易に施工することができる。また、隠蔽材をシートとしているので、軽量で既存構造物への負荷が小さく、囲い込み工事に伴う補強工事が不要となる。
さらに、アスベストＡで被覆されている躯体Ｃにインサートボルト１をねじ込む際に飛散防止パッド２を使用することで、粉塵が飛散せず、作業者が粉塵に暴露するおそれがない。
加えて、従来の囲い込み工法と同様に、アスベストＡを撤去しないので、アスベストＡの廃棄処分費が掛からないうえ、アスベストＡに替わる断熱工事が不要となるので、コストを低く抑えることができる。
【００３１】
以上、本発明の実施形態について説明したが、本発明は上記の実施形態に限定されるものではなく、その趣旨を逸脱しない範囲で適宜変更可能である。例えば、上記各実施形態では、不燃シートもしくは準不燃シートとして寒冷紗を使用しているが、防災シートなど他の素材でもよいことは言うまでもない。
また、第二および第三の実施形態では、屋根が折板であったため、ルーフボルトを使用しているが、デッキプレートの場合は、先端が尖ったインサートボルトを使用することができる。
さらにまた、第三の実施形態では、屋根を対象としたが、天井や壁など他の部位にも適用できることは言うまでもない。
【図面の簡単な説明】
【００３２】
【図１】本発明に係るアスベスト囲い込み工法を機械式駐車場の内壁面に適用した例を示し、隠蔽シート張設前の状態の斜視図である。
【図２】同、隠蔽シート張設後の斜視図である。
【図３】同、分解斜視図である。
【図４】飛散防止パッドの分解斜視図である。
【図５】インサートボルトのねじ込み作業を説明するための模式図である。
【図６】インサートボルトのねじ込み作業を説明するための模式図である。
【図７】インサートボルトのねじ込み作業を説明するための模式図である。
【図８】乾式アスベストに対するインサートボルトのねじ込み状態を示した模式図である。
【図９】湿式アスベストに対するインサートボルトのねじ込み状態を示した模式図である。
【図１０】隠蔽シートの模式図である。
【図１１】本発明に係るアスベスト囲い込み工法の第二の実施形態を示す断面図である。
【図１２】本発明に係るアスベスト囲い込み工法の第三の実施形態を示す断面図である。
【図１３】同、（ａ）は隠蔽シートと鋼線の接合方法を示す斜視図、（ｂ）は接合部の断面図である。
【図１４】機械式駐車場の模式図である。
【符号の説明】
【００３３】
１，１４  インサートボルト
２  飛散防止パッド
３，４，５  鋼製下地材
３ａ  切欠部
４ａ  折返し部
６  隠蔽シート
７  帯板
８  高ナット
９  全ねじボルト
１０  座金
１１，１２  ナット
１３  ステープル
１５  アイボルト
１６  鋼線
２１  内筒
２１ａ  底部
２１ｂ  突起
２２  フランジ部
２３  外筒
６１  金網
６２  寒冷紗（不燃シート）
６３  金属箔
Ａ  アスベスト
Ｃ  躯体
Ｒ  屋根
Ｂ１  火打ち梁
Ｂ２  梁
Ｄ  ドリル
【図１】
2008050817.tif 000003
【図２】
2008050817.tif 000004
【図３】
2008050817.tif 000005
【図４】
2008050817.tif 000006
【図５】
2008050817.tif 000007
【図６】
2008050817.tif 000008
【図７】
2008050817.tif 000009
【図８】
2008050817.tif 000010
【図９】
2008050817.tif 000011
【図１０】
2008050817.tif 000012
【図１１】
2008050817.tif 000013
【図１２】
2008050817.tif 000014
【図１３】
2008050817.tif 000015
【図１４】
2008050817.tif 000016